(57)【要約】【課題】  使用勝手が良く、構造の単純化を図ったり、製造コストの低廉化を図ることが容易な水栓を提供する。【解決手段】  湯側の流入路１５と水側の流入路１６と流出路１７と連絡路１８とを具備する水栓本体１１を備える。第１の操作部２６によって操作され、湯側の流入路１５の２次側の端部及び水側の流入路１６の２次側の端部が接続される第１の弁装置２０と、第２の操作部３６によって操作され、連絡路１８を介して第１の弁装置２０の２次側に接続され、更に、流出路１７の１次側の端部が接続される第２の弁装置３０と、を備える。第１の弁装置２０によって、湯側の流入路１５から連絡路１８に到達させる湯量と、水側の流入路１６から連絡路１８に到達させる水量との比率を調整する。第２の弁装置３０によって、連絡路１８と流出路１７とを非連通状態とするか、連通状態とするかを選択する。【選択図】        図２
2005207478.tif 000002
【特許請求の範囲】
【請求項１】
湯を流入させる湯側の流入路と、水を流入させる水側の流入路と、吐水手段に繋がる流出路と、前記湯側の流入路及び前記水側の流入路よりも２次側に形成される連絡路と、を具備する水栓本体を備える水栓であって、
第１の操作部によって操作されると共に、前記湯側の流入路の２次側の端部及び前記水側の流入路の２次側の端部が接続される第１の弁装置と、
第２の操作部によって操作されると共に、前記連絡路を介して前記第１の弁装置の２次側に接続され、更に、前記流出路の１次側の端部が接続される第２の弁装置と、を備え、
前記第１の弁装置によって、前記湯側の流入路から前記連絡路に到達させる湯量と、前記水側の流入路から前記連絡路に到達させる水量との比率を調整すると共に、
前記第２の弁装置によって、前記連絡路と前記流出路とを非連通状態とするか、連通状態とするかを選択することを特徴とする水栓。
【請求項２】
湯を流入させる湯側の流入路と、水を流入させる水側の流入路と、吐水手段に繋がる流出路と、前記湯側の流入路及び前記水側の流入路よりも２次側に形成される連絡路と、を具備する水栓本体を備える水栓であって、
第１の操作部によって操作されると共に、前記湯側の流入路の２次側の端部及び前記水側の流入路の２次側の端部が接続される第１の弁装置と、
第２の操作部によって操作されると共に、前記連絡路を介して前記第１の弁装置の２次側に接続され、更に、前記流出路の１次側の端部が接続される第２の弁装置と、を備え、
前記第１の弁装置によって、湯側の流入路及び水側の流入路のうちの一方を前記連絡路と択一的に連通させ、
前記第２の弁装置によって、前記連絡路と前記流出路とを非連通状態とするか、連通状態とするかを選択することを特徴とする水栓。
【請求項３】
前記第２の操作部が、上下方向への傾動操作及び左右方向への回動操作の双方のみ、若しくは、一方のみを操作態様とするレバー型の操作部であることを特徴とする請求項１又は請求項２に記載の水栓。
【請求項４】
湯を流入させる湯側の流入路と、水を流入させる水側の流入路と、吐水手段に繋がる流出路と、前記湯側の流入路及び前記水側の流入路よりも２次側に形成される連絡路と、を具備する水栓本体を備える水栓であって、
第１の操作部によって操作されると共に、前記湯側の流入路の２次側の端部及び前記水側の流入路の２次側の端部が接続される第１の弁装置と、
第２の操作部によって操作されると共に、前記連絡路を介して前記第１の弁装置の２次側に接続され、更に、前記流出路の１次側の端部が接続される第２の弁装置と、を備え、
前記第１の弁装置は、前記湯側の流入路から供給される湯と、前記水側の流入路から供給される水とを混合する湯水混合機能を備え、
前記第２の弁装置によって、前記連絡路と前記流出路とを非連通状態とするか、連通状態とするかを選択すると共に、
前記第２の操作部が、上下方向への傾動操作及び左右方向への回動操作の双方のみ、若しくは、一方のみを操作態様とするレバー型の操作部であることを特徴とする水栓。
【請求項５】
前記レバー型の操作部には、上下方向への傾動操作及び左右方向への回動操作の双方を施すことが可能であると共に、
該傾動操作及び該回動操作のうちの一方が、前記水栓の吐止水状態を変化させる本操作を構成し、
該傾動操作及び該回動操作のうちの他方が、前記水栓の吐止水状態を維持する空操作を構成することを特徴とする請求項３又は請求項４の何れかに記載の水栓。
【請求項６】
前記水栓本体の外部であって前記湯側の流入路の１次側の部位に、所定の調温手段を配置し、
前記調温手段によって予め所望温度に温度制御された湯が、前記湯側の流入路に流入することを特徴とする請求項１乃至請求項５の何れかに記載の水栓。
【発明の詳細な説明】
【技術分野】
【０００１】
本発明は、水栓に関する。
【背景技術】
【０００２】
操作性の高い水栓として、図１３（ａ）及び（ｂ）に示すような「シングルレバー式の水栓」が従来より使用されている（特許文献１の図１等を参照）。この「シングルレバー式の水栓」は、一般に、傾動操作及び回動操作を操作態様とする「レバー型の操作部７５」によって操作される弁装置７０を、水栓本体８０の内部に配置している。そして、この弁装置７０としては、「互いに平面摺動する固定弁体７１及び可動弁体７２を備える平面摺動型の弁装置（平面摺動型のカートリッジ）７０」を例示できる。
【０００３】
このシングルレバー式の水栓が「湯」と「水」との混合水を取り扱う水栓（湯水混合水栓）である場合には、通常、この弁装置７０が温度調節機能と吐止水の選択機能等を備える。つまり、この弁装置７０を「レバー型の操作部７５」によって操作すると、水栓本体８０に供給される湯と水の混合と、吐止水の選択と、吐水量の調節とが行われる。
【特許文献１】特開平９−４２４９４号公報
【発明の開示】
【発明が解決しようとする課題】
【０００４】
このように、前記従来の弁装置７０では、温度調節と吐止水選択等とを行うことが必要なため、その流路構造が複雑化し易い。従って、水栓本体内に流入した湯や水が、弁装置７０を通過するときに、この湯の給湯圧やこの水の給水圧が徒に低下すること（予定外の圧力損失を生ずること）がある。このため、「吐水手段（例えば、カランやシャワー等）」から吐水される湯や水の吐水流量（勢い）を十分に確保できず、水栓の使用勝手が悪くなることがある。
【０００５】
更に、前記従来の「シングルレバー式の水栓」は、単一の操作部７５によって、温度調節用の操作と、吐止水選択用の操作と、吐水量調節用の操作とを行う構造であるため、前に行われた「操作」によってなされた設定が、後に行われる「他の操作」の際に誤って変更され易いという問題を有している。例えば、操作部７５に温度調節用の操作を施し、所望の温度の湯を吐水しているときに、吐水量の増減のみを意図し、操作部に吐水量調節用の操作を施した。ところが、実際には、意図しない「吐水温度の変更」を生じてしまう可能性があり、従来の「シングルレバー式の水栓」は、この点からも、使用勝手が悪くなっている。
【０００６】
また、前記従来の弁装置７０は、温度調節機能と吐止水の選択機能等を発揮するための複雑な流路構造と共に、この弁装置７０の可動部分（可動弁体７２等）を駆動するための複雑な駆動機構を備えるため、その製造コストが高くなり易い。このため、前記従来の「シングルレバー式の水栓」では、構造の単純化を図ったり、製造コストの低廉化を図ることが困難である。
【０００７】
尚、圧力損失を生じ難い水栓としては、所謂「２ハンドル方式」の水栓を例示できる。この水栓では、湯と水の混合度合いを別個のハンドルを用いて調節する。しかし、この２ハンドル方式の水栓においては、湯側及び水側の両ハンドルを交互に反復操作して、吐水温度と吐水流量を手動で設定するという、面倒なハンドル操作が必要となる。よって、「２ハンドル方式」の水栓においても、使用勝手が悪いという問題を有している。
【０００８】
本発明は、上述の課題を解決するものであり、使用勝手が良く、構造の単純化を図ったり、製造コストの低廉化を図ることが容易な水栓を提供すること目的とする。
【課題を解決するための手段】
【０００９】
請求項１の発明の水栓は、湯を流入させる湯側の流入路と、水を流入させる水側の流入路と、吐水手段に繋がる流出路と、前記湯側の流入路及び前記水側の流入路よりも２次側に形成される連絡路と、を具備する水栓本体を備える水栓であって、
第１の操作部によって操作されると共に、前記湯側の流入路の２次側の端部及び前記水側の流入路の２次側の端部が接続される第１の弁装置と、
第２の操作部によって操作されると共に、前記連絡路を介して前記第１の弁装置の２次側に接続され、更に、前記流出路の１次側の端部が接続される第２の弁装置と、を備え、
前記第１の弁装置によって、前記湯側の流入路から前記連絡路に到達させる湯量と、前記水側の流入路から前記連絡路に到達させる水量との比率を調整すると共に、
前記第２の弁装置によって、前記連絡路と前記流出路とを非連通状態とするか、連通状態とするかを選択することを特徴とする。
【００１０】
ここで、本明細書において「左」、「右」、「上」、「下」「前」、「後」等の方向は、使用者を基準に定めたものである。また、本明細書において、「レバー型の操作部を上方に傾動する」とは、例えば、レバー型の操作部（取っ手部）の傾斜角（使用者側に向かって上がり傾斜となる方向を正の方向と仮定する。）を増加させる（所定の部位を支点にして上方に持ち上げる）ことを指す。更に、「操作部を下方に傾動する」とは、例えば、レバー型の操作部（取っ手部）の傾斜角を減少させる（所定の部位を支点にして下方に押し下げる）ことを指す。
【００１１】
請求項１の発明の水栓は、水栓本体に流入した湯の給湯圧や水栓本体に流入した水の給水圧を徒に低下させる機構を、水栓本体内に配置しない。つまり、その水栓本体の内部において、複雑な流路構造を備える弁装置（例えば、前述の温度調節と吐止水を行う平面摺動方式の弁装置等）を配置しないため、吐水手段から吐水される湯や水の吐水流量（勢い）を十分に確保できる。
【００１２】
また、請求項１の発明の水栓では、単一の「操作部」によって、温度調節用の操作と、吐止水用の操作とを行う構造でないため、前に行われた「操作」によってなされた設定が、後に行われる「他の操作」の際に誤って変更されることはない。つまり、吐止水の選択操作を行うための操作部（第２の操作部）と、温度調節操作を行うための操作部（第１の操作部）とが別体であるため、吐水温度を確実に固定した状態で、吐止水の選択操作を円滑に行うことができる。更に、請求項１の発明の水栓では、前述の２ハンドルタイプの水栓のように、「湯側及び水側の両ハンドルを交互に反復操作して、吐水温度と吐水流量を手動で設定する」という、面倒なハンドル操作が必要とならない。
【００１３】
このように、請求項１の発明の水栓は、操作性が高く、使用勝手に優れている。また、請求項１の発明の水栓では、その水栓本体の内部に、「複雑な流路構造と、複雑な駆動機構を備える弁装置（例えば、前述の「温度調節と吐止水を行う平面摺動方式の弁装置」等）を配置しない。このため、水栓の機構（構造）の簡略化と製造コストの低廉化を図ることが容易である。更に、請求項１の発明の水栓では、第１の弁装置の内部に、湯水の混合部を形成しないため、第１の弁装置のコンパクト化を図ることができると共に、簡易な構造とすること（つまり、簡易なミキシングバルブとすること）ができる。
【００１４】
請求項１の発明では、連絡路を「湯」と「水」を混合するための「湯水混合部」として用いる態様を示している。つまり、湯側の流入路に流入した湯と、水側の流入路に流入した水は、連絡路において混合される。そして、「湯側の流入路から連絡路に到達させる湯量」と、「水側の流入路から連絡路に到達させる水量」との比率を、第１の弁装置によって調節することで、「湯」と「水」の混合比率が調節され、吐水手段から吐水される湯水の吐水温度が選択される。
【００１５】
ここで、「湯側の流入路から連絡路に到達させる湯量」とは、「単位時間当たりに、湯側の流入路から連絡路に到達させる湯の流量」を指し、「水側の流入路から連絡路に到達させる水量」とは、「単位時間当たりに、水側の流入路から連絡路に到達させる水の流量」を指す。また、請求項１の発明の第１の弁装置は、「湯側の流入路から連絡路に到達させる湯量」と、「水側の流入路から連絡路に到達させる水量」のうちの一方を「１００％（％は、容積％、重量％の何れでもよい。以下、同様）」とし、他方を「０％」とする比率で混合しても、湯量及び水量の双方とも０％としない比率（必ず、湯と水が含まれる比率）で混合してもよい。尚、「湯側の流入路から連絡路に到達させる湯量」を１００％にするとは、本水栓によって、湯側の流入路に流入する湯のみを吐水する場合を指し、「水側の流入路から連絡路に到達させる水量」を１００％にするとは、本水栓によって、水側の流入路に流入する水のみを吐水する場合を指す。
【００１６】
請求項２の発明の水栓は、湯を流入させる湯側の流入路と、水を流入させる水側の流入路と、吐水手段に繋がる流出路と、前記湯側の流入路及び前記水側の流入路よりも２次側に形成される連絡路と、を具備する水栓本体を備える水栓であって、
第１の操作部によって操作されると共に、前記湯側の流入路の２次側の端部及び前記水側の流入路の２次側の端部が接続される第１の弁装置と、
第２の操作部によって操作されると共に、前記連絡路を介して前記第１の弁装置の２次側に接続され、更に、前記流出路の１次側の端部が接続される第２の弁装置と、を備え、
前記第１の弁装置によって、湯側の流入路及び水側の流入路のうちの一方を前記連絡路と択一的に連通させ、
前記第２の弁装置によって、前記連絡路と前記流出路とを非連通状態とするか、連通状態とするかを選択することを特徴とする。
【００１７】
請求項２の発明においても、請求項１の発明と同様な効果が得られる。即ち、請求項２の発明の水栓は、操作性が高く、使用勝手に優れている。また、水栓本体の内部に、「複雑な流路構造と、複雑な駆動機構を備える弁装置」を配置しないため、水栓の機構（構造）の簡略化と製造コストの低廉化を図ることが容易である。更に、第１の弁装置の内部に、湯水の混合部を形成しないため、第１の弁装置のコンパクト化を図ることができると共に、簡易な構造とすること（つまり、簡易なミキシングバルブとすること）ができる。
【００１８】
請求項２の発明の水栓では、湯側の流入路に流入した湯と、水側の流入路に流入した水とを水栓本体内で混合することを意図しない点が、請求項１の発明の水栓と異なっている。つまり、請求項２の発明の水栓では、その第１の弁装置によって、湯側の流入路及び水側の流入路のうちの一方を連絡路と択一的に連通させるため、湯側の流入路に流入する湯のみを吐水するか、水側の流入路に流入する水のみを吐水することになる。この請求項２の発明の「第１の弁装置」は、止水機能（「同時止水機能」若しくは「一時止水機能」ともいう。）を備えた切換弁装置を例示できる。
【００１９】
つまり、第１の操作部を所定の止水位置の操作したときに、止水状態（即ち、湯側の流入路及び水側の流入路の双方が、連絡路と非連通となり、湯側の流入路の湯及び水側の流入路の水が連絡路に到達しない状態）を実現し、この第１の操作部をこの止水位置から一の方向に操作すると、湯側の流入路のみを連絡路と連通させ、この第１の操作部をこの止水位置から他の方向に操作すると、水側の流入路のみを連絡路と連通させる「切換弁」を例示できる。更に、この切換弁は、止水機能の他に、吐水流量の調節を行う機能を備えてもよい。この場合、第２の弁装置を、吐止水選択機能のみを備える構造（吐水流量の調節機能を備えず、吐止水選択機能のみを備える構造）とし、この第２の弁装置の構造の単純化を図ることもできる。
【００２０】
尚、請求項１及び請求項２の発明において、第１の操作部及び第２の操作部の具体的な構成は特に問わず、例えば、「所定の操作軸を軸心とする回動操作のみを操作態様とするハンドル型の操作部」の他に、押しボタン式の操作部、非接触型の操作部（例えば、センサによって使用者が近接したことを検知して吐止水弁に開弁駆動させ、使用者が離間したことを検知して吐止水弁に閉弁駆動させる操作部）等を例示できる。
【００２１】
請求項３の水栓は、請求項１又は請求項２に記載の水栓において、
前記第２の操作部が、上下方向への傾動操作及び左右方向への回動操作の双方のみ、若しくは、一方のみを操作態様とするレバー型の操作部であることを特徴とする。
【００２２】
請求項３の発明では、従来のシングルレバー水栓と類似の操作性を有しつつも、従来のシングルレバー水栓の欠点を是正した水栓を得ることを目的とする。つまり、本発明の如く、吐止水選択用の操作部（第２の操作部）と、温度調節用の操作部（第１の操作部）とを別物とする水栓では、吐止水選択用の操作部（第２の操作部）の方が、温度調節用の操作部（第１の操作部）よりも操作頻度が高くなる。通常、水栓はその設置場所に応じて用途（例えば、「洗面所で使用する水栓では手洗用」、「浴室で使用する水栓では、入浴用、洗髪用」、「台所で使用する水栓では、食器洗用」等）が限定され、個々の用途の水栓毎に、使用頻度の高い吐水温度がある。このため、温度調節用の操作部（第１の操作部）の操作頻度が、吐止水選択用の操作部（第２の操作部）の操作頻度に比べて低くなるからである。
【００２３】
この点に着目し、請求項３の発明では、使用頻度が高い「第２の操作部」を、操作性が高い「レバー型の操作部」とする。しかも、従来の「レバー型の操作部」を備える水栓の長所を生かしつつ、短所を無くすことができる。つまり、この「レバー型の操作部」によって、温度調節用の操作と、吐止水用の操作とを行う構造でない。このため、「操作部の操作性の高い」という長所を生かしつつ、「意図しない設定変更を生じ易い」という短所を無くすことができる。従って、請求項３の発明によると、従来のシングルレバー水栓と類似の操作性を有しつつも、従来のシングルレバー水栓の欠点を是正した水栓を得ることができる。
【００２４】
請求項４の発明は、湯を流入させる湯側の流入路と、水を流入させる水側の流入路と、吐水手段に繋がる流出路と、前記湯側の流入路及び前記水側の流入路よりも２次側に形成される連絡路と、を具備する水栓本体を備える水栓であって、
第１の操作部によって操作されると共に、前記湯側の流入路の２次側の端部及び前記水側の流入路の２次側の端部が接続される第１の弁装置と、
第２の操作部によって操作されると共に、前記連絡路を介して前記第１の弁装置の２次側に接続され、更に、前記流出路の１次側の端部が接続される第２の弁装置と、を備え、
前記第１の弁装置は、前記湯側の流入路から供給される湯と、前記水側の流入路から供給される水とを混合する湯水混合機能を備え、
前記第２の弁装置によって、前記連絡路と前記流出路とを非連通状態とするか、連通状態とするかを選択すると共に、
前記第２の操作部が、上下方向への傾動操作及び左右方向への回動操作の双方のみ、若しくは、一方のみを操作態様とするレバー型の操作部であることを特徴とする。
【００２５】
請求項４の発明においても、水栓本体に流入した湯の給湯圧や水栓本体に流入した水の給水圧を徒に低下させる機構を、水栓本体内に配置しないため、吐水手段から吐水される湯や水の吐水流量（勢い）を十分に確保できる。また、請求項４の発明の水栓では、前述の２ハンドルタイプの水栓のように、「湯側及び水側の両ハンドルを交互に反復操作して、吐水温度と吐水流量を手動で設定するという、面倒なハンドル操作が必要とならない。このように、請求項４の発明の水栓においても、操作性が高く、使用勝手に優れている。
【００２６】
また、請求項４の発明においても、請求項３の発明と同様に、従来のシングルレバー水栓と類似の操作性を有しつつも、従来のシングルレバー水栓の欠点を是正した水栓を得ることができる。更に、請求項４の発明の水栓においても、その水栓本体の内部に、複雑な流路構造と、複雑な駆動機構を備える弁装置を配置しないため、水栓の機構（構造）の簡略化と製造コストの低廉化を図ることが容易である。尚、請求項４の発明の「第１の弁装置」としては、「切換弁」方式のものの他に、自動温度調節機構（サーモスタット方式の温度調節用の弁装置）等を例示できる。
【００２７】
尚、請求項４の発明の水栓は、「湯側の流入路に流入した湯と、水側の流入路に流入した水とを混合するための混合部を、第１の弁装置内に設ける態様」を含む点が、請求項１の発明の水栓と異なる。つまり、請求項４の発明には、湯側の流入路に流入した湯と、水側の流入路に流入した水を、第１の弁装置内で混合する態様が含まれる。また、請求項４の発明の第１の弁装置も、「湯側の流入路から連絡路に到達させる湯量」と、「水側の流入路から連絡路に到達させる水量」のうちの一方を「１００％」とし、他方を「０％」とする比率で混合しても、湯量及び水量の双方とも０％としない比率で混合してもよい。
【００２８】
尚、請求項３及び請求項４の発明において、「第１の操作部」の具体的な態様は特に問わない。例えば、第２の操作部と同様な「レバー型の操作部」としてもよいが、「ハンドル型の操作部」とすることがより好ましい。第１の操作部は、操作頻度が低いため、「レバー型の操作部」よりも操作性が低い「ハンドル型の操作部」としても、水栓全体の使用勝手に与える影響は少ない。しかも、「ハンドル型の操作部」では、「レバー型の操作部」に比べて、不必要な操作や不用意な操作（例えば、誤って使用者の体が触れて生ずる誤操作等）を生じ難い。このため、第１の操作部を「ハンドル型の操作部」とすることで、吐水温度を確実に固定できるからである。
【００２９】
また、請求項３及び請求項４の発明において、第２の操作部の操作態様が、上下方向への傾動操作及び左右方向への回動操作の一方のみである場合には、第２の弁装置の構造（弁体構造や、弁体の可動構造等）の単純化を図ることや、使用頻度の高い「第２の操作部」の操作態様の単純化を図ることができる。つまり、吐止水操作等と無関係な「無駄な方向」に操作部が振れないため、吐止水操作を容易、かつ瞬時に（即ち、無駄な操作を行わず、ストレートに）行うことができる。
【００３０】
また、請求項３及び請求項４の発明において、第２の操作部の操作態様が、上下方向への傾動操作及び左右方向への回動操作の双方のみである場合、傾動操作及び回動操作の双方が同様な操作（例えば、「双方とも吐止水を選択する操作である場合」、若しくは、「双方とも吐止水と吐水量を選択する操作である場合」等）であっても、傾動操作及び回動操作の双方が異なる操作（例えば、「一方が吐止水の選択操作で、他方が吐水量を調節する操作である場合」、「請求項５に示すように、一方が本操作で、他方が空操作である場合」等）であってもよい。
【００３１】
請求項５の水栓は、請求項３又は請求項４の何れかに記載の水栓において、
前記レバー型の操作部には、上下方向への傾動操作及び左右方向への回動操作の双方を施すことが可能であると共に、
該傾動操作及び該回動操作のうちの一方が、前記水栓の吐止水状態を変化させる本操作を構成し、
該傾動操作及び該回動操作のうちの他方が、前記水栓の吐止水状態を維持する空操作を構成することを特徴とする。
【００３２】
請求項５の発明では、レバー型の操作部を、傾動操作及び回動操作の双方を施すことが可能な構造とする。そして、この操作部に傾動操作（若しくは、回動操作）を施すと、対応する弁装置（第２の弁装置）の開閉弁状態が変化する（水栓の吐止水状態に変化を生じさせる駆動を行う）が、回動操作（若しくは、傾動操作）を施しても、当該弁装置の開閉弁状態に変化を生じない（水栓の吐止水状態に変化を生じさせない）。
【００３３】
このため、請求項５の発明によると、様々な使用状況に対し、使用勝手が良い水栓が得られる。換言すると、左右への回動方向（若しくは、上下への傾動方向）に振り角（遊び角）を持つため、様々な使用状況に対し、使用勝手が良い水栓となる。以下、この点に関し、具体例を挙げて説明する。また、空操作とは、「操作部に施されていても、水栓の吐止水状態を維持する操作」、つまり、「操作部に施されていても、水栓の吐止水状態に変化を生じさせない操作」を指す。
【００３４】
請求項５の発明において、傾動操作を本操作とし、回動操作を空操作とする場合には、使用者と水栓との相対的な位置に関係無く、同様な使用性を確保できる。例えば、使用者が水栓の正面に位置する場合は、レバー型の操作部を正面に向けた状態で、この操作部を上下に傾動操作し、対応する弁装置（第２の弁装置）を開閉弁駆動させればよい。一方、使用者が水栓の斜め前方や側方に位置する場合は、レバー型の操作部に回動操作を施し、この操作部を使用者の方向に向けた後に、この操作部に上下への傾動操作し、対応する弁装置（第２の弁装置）を開閉弁駆動させることができるからである。
【００３５】
また、傾動操作を空操作とし、回動操作を本操作とする場合には、使用者自身の状況（立っているか、座っているか、大人か、子供か等の状況）に関係無く、同様な使用性を確保できる。例えば、使用者が座っていたり、背が低い子供の場合には、レバー型の操作部を下方に傾動させた状態で、この操作部に開閉操作を施せばよい。一方、使用者が立った状態の大人である場合には、レバー型の操作部を上方に傾動させ状態で、この操作部に開閉操作を施せばよいからである。また、この態様は、幼児等が操作部を操作することを避けたい場合（例えば、熱湯が湯吐水される可能性がある場合）にも有効である。蓋し、レバー型の操作部を上方に傾動させ、幼児等の手が届かないようにすればよいからである。
【００３６】
請求項５の発明において、「水栓の吐止水状態が変化する」とは、例えば、対応する「弁装置」、つまり、「第２の弁装置」の開閉弁状態を変化させ（閉弁状態から開弁状態に変化させたり、開弁状態から閉弁状態に変化させる。）、止水状態にある水栓が吐水状態となったり、吐水状態にある水栓が止水状態となること等を指す。また、この「弁装置（第２の弁装置）」によって吐水量の調節をも行う場合には、この「弁装置（第２の弁装置）」の開度を変化させ（例えば、開弁量を増減させ）、水栓の吐水量を変化させること等も含まれる。
【００３７】
請求項２〜請求項４の発明においては、第２の操作部がレバー型の操作部であってもよいし、第１の操作部及び第２の操作部がレバー型の操作部であってもよい。また、請求項５の発明においては、少なくとも、第２の操作部が、請求項５の発明の適用を受ける「レバー型の操作部」であることを意図する。但し、第１の操作部及び第２の操作部がレバー型の操作部である場合に、第２の操作部のみならず、第１の操作部をも、請求項５の発明の適用を受ける「レバー型の操作部」とすることもできる。また、請求項１〜請求項５の発明において、第１の操作部が、請求項５の発明の適用を受けない「レバー型の操作部」である場合に、当該操作部には、傾動操作及び回動操作のうちの一方のみを施すことが可能であってもよいし、傾動操作及び回動操作の双方を施すことが可能であってもよい。
【００３８】
請求項６の水栓は、請求項１乃至請求項５の何れかに記載の水栓において、
前記水栓本体の外部であって前記湯側の流入路の１次側の部位に、所定の調温手段を配置し、
前記調温手段によって予め所望温度に温度制御された湯が、前記湯側の流入路に流入することを特徴とする。
【００３９】
請求項６の発明は、近年、調温手段（例えば、給湯器）によって行われる「温度制御の精度」が向上したことを考慮してなされたものである。例えば、市場において給湯器の温度精度が向上し、湯側の流入路に流入した湯のみを吐水すれば足りるケースが増えていることを考慮してなされたものである。
【００４０】
即ち、請求項６の発明においては、水栓本体の１次側で、所望温度に温度制御された「湯」を、湯側の流入路を通じて水栓本体に流入させる。よって、使用者は、調温手段から水栓本体に供給される湯の温度を予め所望温度に設定しておくだけで、より一層、使用勝手の良い状態にて水栓を使用することができる。つまり、予め、調温手段と第１の弁装置に操作を施し、温度設定をしておけば、以後は、第２の操作部に操作を施すだけ、所望温度の湯や水を吐水させることができる。例えば、所定温度の湯を吐水させたい場合（風呂への給湯時、洗髪時、手荒い時、食器洗浄時等）には、調温手段と第１の弁装置によって、予め湯温を設定した後に、第２の操作部に操作を施すだけで足り、水を吐水させたい場合（清掃時等）には、第１の弁装置によって水吐水を設定した後に、第２の操作部に操作を施すだけで足りる。
【００４１】
換言すると、「給湯源から供給されたままの湯だけ」、又は、「給水源から供給されたままの水だけ」の吐水（通水）を行う限りにおいては、本水栓のサイドで温度調節操作を一切行う必要がない。但し、請求項６の発明は、第１の操作部に調節操作を施すことを排除するものではない。例えば、「湯側の流入路に供給される湯」の温度が僅かに高い場合に、第１の操作部に調節操作を施し、この湯に「水側の流入路に供給される水」を混合することで、吐水温度の調節（例えば、微調節）を行う態様を例示できる。
【００４２】
請求項１〜請求項６の各発明において、「第１の弁装置」及び「第２の弁装置」の構造、形式は種々選択できる。例えば、「第１の弁装置」や「第２の弁装置」が「レバー型の操作部」によって操作される弁装置である場合は、（Ａ）互いに平面摺動して、互いの流路の開閉や連通度合い等の調節を行う固定弁体及び可動弁体を備える平面摺動方式の弁装置、（Ｂ）各々円筒状に成されると共に互いに挿嵌された固定弁体及び可動弁体を有し、互いに周面摺動して流路の開閉を行うロータリー方式の弁装置等を例示できる。また、「第１の弁装置」や「第２の弁装置」が「ハンドル式の操作部」によって操作される弁装置である場合は、（Ａ）平面摺動方式の弁装置、（Ｂ）ロータリー方式の弁装置の他に、（Ｃ）対向する一対の弁口に対して弁体を進退させて流路の切換及び流量の調節を行うリフト方式の吐止水弁、（Ｄ）弁口と、この弁口方向に付勢されたボール状の弁体とを有し、弁体と弁口とを相対的に移動させて弁口の開閉を行うボール弁方式の弁装置等を例示できる。
【００４３】
また、請求項１〜請求項６の各発明の「吐水手段」としては、例えば、カランやシャワー等を例示できる。
【発明の効果】
【００４４】
以上のように、本各発明によると、使用勝手が良く、構造の単純化を図ったり、製造コストの低廉化を図ることが容易な水栓が得られる。
【発明を実施するための最良の形態】
【００４５】
次に、本各発明に係わる「水栓」の最良の形態（以下、「実施例」という。）を図面に従って詳細に説明する。
【００４６】
（１）実施例１
【００４７】
本実施例では、図１に示すように、本各発明の一具体例を示す水栓１０と、この水栓１０を備える「水栓設備Ｓ」について説明する。この「水栓設備Ｓ」は、水栓１０と、給湯用の元配管部１Ａと、給水用の元配管部１Ｂと、を備えている。
【００４８】
給湯用の元配管部１Ａは、水栓１０の１次側において所望温度に温度制御された湯を、水栓１０に対して供給するためのものである。この給湯用の元配管部１Ａを構成する配管の経路途中には、その一次側から２次側に向かって、給湯器６１と、湯側の止水栓２ａと、湯側の逆止弁３ａと、湯側のストレーナ５ａとがこの順に介在されている。
【００４９】
給湯器６１は、調温手段の一具体例を構成するものであり、給湯制御装置６２と、給湯操作部（スイッチ）６３とが電気的に接続されている。そして、使用者が、給湯操作部（スイッチ）６３によって、所望の温度を指定すると、給湯器６１に内蔵されたセンサ（温度センサや流量センサ等）と、給湯制御装置（マイクロコンピュターや制御プログラム等で構成）等の働きにより、給湯器６１から水栓１０方向に流入する「湯」の温度が、所望の温度に制御される構成となっている。
【００５０】
給水用の元配管部１Ｂは、給水源（Ｃ）の水を、水栓１０に対して、そのまま供給するためのものである。この給水用の元配管部１Ｂを構成する配管の経路途中には、その一次側から２次側に向かって、水側の止水栓２ｂと、水側の逆止弁３ｂと、水側のストレーナ５ｂとがこの順に介在されている。
【００５１】
水栓１０は、所謂「台付きタイプ（デッキタイプ）」の水栓であり、図２に示すように、水栓本体１１と、吐水手段４０とを備えている。また、水栓本体１１の底面には給湯口１２及び給水口１３が設けられ、前面には吐水接続口１４が設けられている。そして、給湯口１２には、給湯用の元配管部１Ａの「２次側の端部」が接続され、給水口１３には、給水用の元配管部１Ｂの「２次側の端部」が接続されている。また、吐水接続口１４には、吐水手段４０の一具体例を構成する「カラン」の「１次側の端部」が接続されている。
【００５２】
水栓本体１１は、図１及び図２に示すように、湯側の流入路１５と、水側の流入路１６と、流出路１７と、連絡路１８とを内部に備えている。また、水栓本体１１は、第１の弁装置２０と、この弁装置２０よりも２次側に配置される第２の弁装置３０とを内蔵している。そして、図２に示すように、湯側の流入路１５の「１次側の端部」は給湯口１２に接続され、湯側の流入路１５の「２次側の端部」は、第１の弁装置２０の湯取入口２１に接続されている。また、水側の流入路１６の「１次側の端部」は給水口１３に接続され、水側の流入路１６の「２次側の端部」は第１の弁装置２０の水取入口２３に接続されている。
【００５３】
流出路１７は、図２に示すように、その１次側の端部を、第２の弁装置３０の湯水流出口３２に接続し、「２次側の端部」を、吐水接続口１４に接続している。更に、連絡路１８は、第１の弁装置２０及び第２の弁装置３０を連絡するための内部流路であって、その１次側の端部を第１の弁装置２０の湯水取出口２４に接続し、１次側の端部を第２の弁装置３０の湯水流入口３１に接続している。
【００５４】
第１の弁装置２０は、図２に示すように、「湯側の流入路１５、湯取入口２１の順に通過した後に当該第１の弁装置２０に流入する湯」と、「水側の流入路１６、水取入口２３の順に通過した後に当該第１の弁装置２０に流入する水」とを、所望の混合比率で混合するための弁機構（図示を省略）を備えている。この第１の弁装置２０は、操作軸（例えば、スピンドル）２５を水栓本体１１の前方に突出させている。そして、この操作軸２５の突端には、ハンドル型の操作部（側の操作部）２６が装着されている。
【００５５】
この操作部２６は、操作軸２５を軸心とする回動操作のみを操作態様とするものである。そして、図３（ｂ）に示すように、操作部２６の取っ手部２６ａを上方に向けた状態とすると、湯取入口２１から流入する湯と、水取入口２３から流入する水とが均等な割合（つまり、１：１の割合で混合）で混合される。一方、操作部２６の取っ手部２６ａを右回転方向に回転するに従って、序々に、湯の混合比率が増大し、操作部２６を目一杯、右回転操作したところで、「湯」の割合が１００％となる。逆に、操作部２６の取っ手部２６ａを左回転方向に回転するに従って、序々に、湯の混合比率が減少し、操作部２６を目一杯、左回転操作したところで、「水」の割合が１００％となる。
【００５６】
尚、本実施例では、第１の弁装置２０の具体的な構成の図示等を省略するが、例えば、平面摺動方式の吐止水弁、リフト方式の吐止水弁、ロータリー方式の吐止水弁、ボール弁方式の吐止水弁等の種々の弁装置を例示することができる。また、第１の弁装置２０は、請求項１の発明に従うもの（以下、「前者」という。）であっても、請求項４の発明に従うもの（以下、「後者」という。）であってもよい。つまり、前者の具体例としては、「湯取入口２１から当該第１の弁装置２０に流入する湯」と、「水取入口２３から当該第１の弁装置２０に流入する水」とを連絡路１８において混合させるものを例示でき、後者の一具体例としては、「湯取入口２１から当該第１の弁装置２０に流入する湯」と、「水取入口２３から当該第１の弁装置２０に流入する水」とを当該第１の弁装置２０において混合させた後、連絡路１８に流出させものを例示できる。
【００５７】
第２の弁装置３０は、上下方向に沿った傾動操作のみを操作態様とする「レバー型の操作部３６｛図３（ａ）参照｝」によって操作される「平面摺動方式の弁装置」である。この第２の弁装置３０は、固定弁体３３と、可動弁体３５と、伝達手段３５ｄとを具備する弁機構を備える。このうち、固定弁体３３は、図４に示すように、その上面を可動弁体３５との摺動面とすると共に、湯水流入通路３３ａと湯水流出通路３３ｂとを、上下面を貫通する状態にを備える。そして、湯水流入通路３３ａの１次側の端部は、湯水導入路３８（図２を参照）等を介して湯水流入口３１に接続され、湯水流出通路３３ｂの２次側の端部は、湯水導出路３９（図２を参照）等を介して湯水流出口３２に接続されている。
【００５８】
可動弁体３５は、その下面を固定弁体２３との摺動面とつつ、レバー型の操作部（第２の操作部）３６によって操作される。つまり、レバー型の操作部（第２の操作部）３６の取っ手部３６ａを手でつかみ、上方へ傾動操作すると、伝達手段３５ｄ（揺動軸）が揺動軸３５ｅを中心にして、使用者から離間する方向（使用者の奥側）への傾斜を強める。（揺動する、図２参照）。これにより、伝達手段３５ｄの下端部が使用者に近接する方向に移動し、この下端部に係止される可動弁体３５が固定弁体２３上を、使用者側に摺動する。
【００５９】
一方、レバー型の操作部（第２の操作部）３６の取っ手部３６ａを手でつかみ、下方へ傾動操作すると、伝達手段３５ｄが揺動軸３５ｅを中心にして、使用者に近接する方向への傾斜を強める。（揺動する。図２参照）。これにより、伝達手段３５ｄの下端部が使用者から離間する方向に移動し、この下端部に係止される可動弁体３５が、固定弁体２３上を、使用者から離間する方向に摺動する。また、図４に示すように、可動弁体３５はその摺動面で開口する連通通路３５ａを備えている。
【００６０】
第２の弁装置３０において、図４（ａ）及び（ｂ）に示すように、レバー型の操作部（第２の操作部）３６を最下方に傾動操作すると、可動弁体３５は固定弁体２３の上の最後方位置に移動する。このとき、連通通路３５ａは、湯水流出通路３３ｂのみと連通するため、湯水流入通路３３ａと湯水流出通路３３ｂとは非連通な状態となり、第２の弁装置３０は閉弁状態となる。このため、本水栓１０は止水状態となる。
【００６１】
第２の弁装置３０において、最下方に傾動操作された「レバー型の操作部（第２の操作部）３６」に上方への傾動操作を与えると、可動弁体３５は固定弁体２３の上を前方に向かって移動する。そして、図４（ｃ）及び（ｄ）に示すように、連通通路３５ａが、湯水流入通路３３ａ及び湯水流出通路３３ｂと連通状態となると、第２の弁装置３０は開弁状態となる。更に、レバー型の操作部（第２の操作部）３６に加える「上方への傾動操作量」を上限量となるまでの間は、この傾動操作量を増加させるに従って、湯水流入通路３３ａ及び湯水流出通路３３ｂと連通度合いが高くなり、第２の弁装置３０の開弁量が多くなる。つまり、レバー型の操作部（第２の操作部）３６に加える「上方への傾動操作量」を増加させると、吐水手段４０からの吐水量が増加する。
【００６２】
次に、図５〜図７等を用いて、本水栓設備Ｓの使用例を簡単に説明する。先ず、図２に示すように、第２の操作部３６が、最下方に傾動操作され、止水位置にあると、第２の弁装置３０内の弁機構は止水状態とされ、本水栓１０は止水状態となる。尚、図５〜図７において、点線Ｈは、湯が通水された様子を模式的に示しており、二点鎖線Ｃは、水が通水された様子を模式的に示している。
【００６３】
給湯用の元配管部１Ａから供給される湯のみを吐水する場合（以下、湯吐水という。）には、第１の操作部２６を、目一杯右回転操作した後｛図５（ｂ）参照｝、第２の操作部３６を上方に傾動操作する｛図５（ａ）参照｝。これにより、給湯用の元配管部１Ａから水栓本体１０に供給された湯Ｈが、吐水手段４０（カラン）を通じて吐水される｛図５（ｃ）参照｝。そして、この「湯吐水」の際の吐水量は、第２の操作部３６の上方への傾動量によって決定される。一方、湯吐水を取り止める場合には、第２の操作部３６を下方に傾動操作する。
【００６４】
給水用の元配管部１Ｂから供給される水のみを吐水する場合（以下、水吐水という。）には、第１の操作部２６を、目一杯左回転操作した後｛図６（ｂ）参照｝、第２の操作部３６を上方に傾動操作する｛図６（ａ）参照｝。これにより、給水用の元配管部１Ｂから水栓本体１０に供給された水Ｃが、吐水手段４０（カラン）を通じて吐水される｛図６（ｃ）参照｝。そして、この「水吐水」の際の吐水量は、第２の操作部３６の上方への傾動量によって決定される。一方、水吐水を取り止める場合には、第２の操作部３６を下方に傾動操作する。
【００６５】
給湯用の元配管部１Ａから供給される湯と、給水用の元配管部１Ｂから供給される水との混合水を吐水させたい場合には、第１の操作部２６を、中間位置に操作した後｛図７（ｂ）参照｝、第２の操作部３６を上方に傾動操作する｛図７（ａ）参照｝。これにより、給湯用の元配管部１Ａから供給される湯Ｈと、給水用の元配管部１Ｂから供給される水Ｃとの混合水（以下、混合水という。）が、吐水手段４０（カラン）を通じて吐水される｛図７（ｃ）参照｝。そして、この「水吐水」の際の吐水量は、第２の操作部３６の上方への傾動量によって決定される。一方、水吐水を取り止める場合には、第２の操作部３６を下方に傾動操作する。
【００６６】
尚、混合水の温度は、前述の如く、第１の操作部２６の操作位置によって選択される。つまり、第１の操作部２６の取っ手部２６ａを真上に向けた状態とすると、混合水の温度が、「湯取入口２１から流入する湯と、水取入口２２から流入する水とを均等な割合（つまり、１：１の割合で混合）で混合した温度」となる。そして、取っ手部２６ａを右回転方向に回転させる程｛例えば、図７（ｂ）の符号２６１ａを付した位置｝、混合水の温度は高くなり、取っ手部２６ａを左回転方向に回転させる程｛例えば、図７（ｂ）の符号２６２ａを付した位置｝、混合水の温度は低くなる。但し、本実施例では、給湯用の元配管部１Ａから供給される湯の温度が、調温手段によって所望温度に制御されているため、このように、湯水を混合する必要性は乏しい。
【００６７】
以上のように、本実施例の水栓１０では、水栓本体１１の内部に複雑な流路構造を備える弁装置を配置しないため、吐水手段（カラン）４０から吐水される湯や水の吐水流量（勢い）を十分に確保できる。また、従来のシングルレバー水栓と類似の操作性を有しつつも、従来のシングルレバー水栓の欠点を是正した水栓１０を得ることができる。更に、前述の２ハンドルタイプの水栓のように、「湯側及び水側の両ハンドルを交互に反復操作して、吐水温度と吐水流量を手動で設定するという、面倒なハンドル操作が必要とならない。よって、本実施例の水栓１０は、操作性が高く、使用勝手に優れる。
【００６８】
また、本実施例の水栓１０では、その水栓本体１１の内部に、構造が複雑で、製造コストが嵩む部品を配置しないため、水栓１０の機構（構造）の簡略化と製造コストの低廉化を図ることが容易である。また、使用者は、調温手段（給湯器６１）から水栓本体１１に供給される湯の温度を予め所望温度に設定しておくだけで、より一層、使用勝手の良い状態にて水栓１０を使用することができる。
【００６９】
（２）実施例２
【００７０】
次に、図８〜図１２を用いて、実施例２の水栓設備Ｔについて説明する。この実施例２においては、水栓設備Ｔを構成する水栓１００の「第２の弁装置５０の構成」と、「第２の操作部５６の操作態様」と、「第２の操作部５６に与えられた操作を伝達するための伝達手段の構成」とが異なる他は、実施例１と同様な構成を備える。尚、この実施例２においては、実施例１と同様な構成部分に関しては、同一の図番を付して説明を省略する。
【００７１】
この実施例２の第２の弁装置５０は、図８〜図１２に示すように、ロータリー方式の弁装置である。この第２の弁装置５０は、固定弁体５３と、可動弁体５５と、可動弁体５５に一体的に設けられた駆動軸５５ａとを具備する弁機構を備える。そして、固定弁体５３及び可動弁体５５は、何れも、円筒状に形成されると共に、固定弁体５３及び可動弁体５５の軸心を揃えた状態で、可動弁体５５が固定弁体５３の内部空間内に挿嵌されている。つまり、固定弁体５３及び可動弁体５５は、軸心を同軸上に配置した状態で、固定弁体５３の内周面と可動弁体５５の外周面とを周面摺動可能な状態に挿嵌されている。
【００７２】
第２の弁装置５０は、上下方向への傾動操作と、左右方向への回動操作とが可能なレバー型の操作部（つまり、第２の操作部）５６によって操作される。即ち、操作部５６に傾動操作を施すと、駆動軸５５ａ及び可動弁体５５が上下に駆動する。また、操作部５６に回動操作を施すと、駆動軸５５ａ及び可動弁体５５が回動する構成とされている。つまり、操作部５６を下方から上方に傾動すると、駆動軸５５ａ及び可動弁体５５が、それら（駆動軸５５ａ及び可動弁体５５）の軸心方向に沿って上昇する。
【００７３】
また、操作部５６を上方から下方に傾動すると、駆動軸５５ａ及び可動弁体５５が、それら（駆動軸５５ａ及び可動弁体５５）の軸心方向に沿って下降する。更に、操作部５６に右回転操作を加えると、駆動軸５５ａ及び可動弁体５５が、それら（駆動軸５５ａ及び可動弁体５５）の軸心回りに右回転し、操作部５６に左回転操作を加えると、駆動軸５５ａ及び可動弁体５５が、それら（駆動軸５５ａ及び可動弁体５５）の軸心回りに左回転する構造となっている。
【００７４】
尚、操作部５６に施される操作（操作力）を、駆動軸５５ａ及び可動弁体５５に伝達するための「伝達手段」の具体的な構成は特に問わず、例えば、以下の具体例を例示できる。例えば、操作部５６の一端部５６ａに「略摩擦車状の部分（歯車状の部分でもよい。）」を設け、操作部５６（取っ手部５６ｂ）を、略摩擦車状の部分の軸心を支点として傾動可能とする。また、略摩擦車状の部分の周面と、駆動軸５５ａの周面との間に、駆動力伝達用の摩擦車５５ｂ（歯車若しくはピニオンであってもよい。また、ピニオン状の場合、駆動軸５５ａはラック状とされる。）を、圧接状に介在させる。そして、操作部５６を、略摩擦車状の部分を軸心に傾動させると、この「略摩擦車状の部分」に回転を生じ、この回転による回転力を摩擦車５５ｂを通じて駆動軸５５ａに伝達し、駆動軸５５ａを上下動させる。一方、操作部５６を左右に回動させると、摩擦車５５ｂと、駆動軸５５ａと、可動弁体５５とが一体で左右に回動する。また、この「伝達手段」をリンク機構等の他の機構によって構成することもできる。
【００７５】
可動弁体５５は、その内部空間を湯水通路５７とすると共に、周壁部５８に、可動側の湯水出口５８ａを備えている。このうち、湯水通路５７は、その「１次側の端部」が、実施例２の第２の弁装置５０における「湯水取入口３１（図８参照）」に連絡されると共に、「２次側の端部」が、湯水出口５８ａと連続している。また、可動側の湯水出口５８ａは、周壁部２８の表裏を貫通する状態に設けられると共に、可動弁体５５の周方向に沿って長尺状となる略円弧形状を備えている。
【００７６】
固定弁体５３は、その内部空間を可動弁体５５の摺動空間とすると共に、周壁部５４に、固定側の湯水出口５４ａを備えている。この固定側の湯水出口５４ａも、周壁部５４の表裏を貫通すると共に、固定弁体５３の周方向に沿った略円弧形状に設けられている。但し、固定側の湯水出口５４ａでは、前述の「可動側の湯水出口５８ａ」に比べて、周壁部５４の周方向に沿った幅が小さくされている。また、固定側の湯水出口５４ａは、その「２次側の端部」が、実施例の第２の弁装置５０における「湯水取入口３２（図８参照）」と連絡されている。
【００７７】
この第２の弁装置５０では、図８及び図９に示すように、操作部５６（取っ手部５６ｂ）がその軸線を略水平に向けると、可動弁体５５は最下方に位置する。このとき、可動側の湯水出口５８ａは、固定側の湯水出口５４ａよりも下方に位置し、両湯水出口５８ａ、５４ａは非連通な状態となる｛図１０（ａ）参照｝。つまり、本実施例の水栓１００は止水状態となる。また、操作部５６を上方に傾動すると、可動弁体５５が上昇する。そして、操作部５６の上方への傾動量が所定量となると、両湯水出口５８ａ、５４ａが連通状態となる｛図１０（ｂ）参照｝。これにより、本実施例の水栓１００は吐水状態となる。尚、可動側の湯水出口５８ａのうちで、固定側の湯水出口５４ａによって解放される量、つまり、湯水出口５８ａの解放量は、操作部５６の上方への傾動量によって決定される。つまり、この第２の弁装置５０では、操作部５６（取っ手部５６ｂ）に加える上下への傾動操作が「本操作」を構成する。
【００７８】
一方、操作部５６に回動操作（右回転操作や左回転操作）を施しても、水栓１００の吐止水状態に変化を生じさせない。つまり、この第２の弁装置５０では、操作部５６（取っ手部５６ｂ）に加える左右への回動操作が「空操作」を構成する。具体的には、操作部５６の上下方向（傾動方向）に沿った位置が、両湯水出口５８ａ、５４ａを連通させない位置（可動側の湯水出口５８ａを、固定側の湯水出口５４ａよりも下方に配置する位置）である場合は、操作部５６に回動操作（右回転操作や左回転操作）を施しても、両湯水出口５８ａ、５４ａは非連通な状態を維持する。即ち、操作部５６の上下方向（傾動方向）に沿った位置が、水栓１００を止水状態にする位置であるときには、操作部５６に回動操作（右回転操作や左回転操作）を施しても、水栓１００は止水状態のままである。
【００７９】
また、操作部５６の上下方向（傾動方向）に沿った位置が、両湯水出口５８ａ、５４ａを連通させる位置（可動側の湯水出口５８ａを、固定側の湯水出口５４ａよりも下方に配置する位置）である場合は、操作部５６に回動操作（右回転操作や左回転操作）を施しても、両湯水出口５８ａ、５４ａは連通状態を維持する。しかも、可動側の湯水出口５８ａが周壁部５６の周方向に沿って長尺状に設けられている。このため、操作部５６に回動操作を施して可動側の湯水出口５８ａと固定側の湯出口５４ａとの周方向に沿った相対位置が変化しても、可動側の湯水出口５８ａのうちで、固定側の湯水出口５４ａによって解放される量、つまり、湯水出口５８ａの解放量が変化しないようにされている。即ち、操作部５６の上下方向（傾動方向）に沿った位置が、水栓１００を吐水状態にする位置であるときには、操作部５６に回動操作（右回転操作や左回転操作）を施しても、水栓１００は吐水状態のままであるばかりか、吐水量も一定に保たれる。
【００８０】
次に、図９〜図１２を用いて、本水栓設備Ｔの使用例を簡単に説明する。先ず、図９に示すように、第２の操作部５６が、最下方に傾動操作されていると、第２の弁装置５０内の弁機構は止水状態とされ、本水栓１００は止水状態となる。
【００８１】
水栓１００を正面に見る使用者Ａが、湯吐水、水吐水、若しくは、混合水の吐水を行う場合｛図１１（ａ）参照｝には、先ず、第１の操作部２６を、所望の吐水態様を示す操作位置に操作する。つまり、湯吐水を行う場合には、目一杯右回転操作する湯吐水位置に操作し、水吐水を行う場合には、目一杯左回転操作する水吐水位置に操作する。また、混合水の吐水を行う場合は、湯吐水位置及び水吐水位置の中間位置に操作する｛図９（ｂ）参照｝。この後、第２の操作部５６に上方への傾動操作を施す｛図９（ａ）参照｝。これにより、駆動軸５５ａと共に可動弁体５５が上昇し、可動側の湯水出口５８ａが、固定側の湯出口２４ａと連通し｛図１１（ｂ）参照｝、吐水手段４０（カラン）によって、湯吐水、水吐ｂ、若しくは、混合水の吐水がなされる。一方、水栓１００の正面に位置する使用者Ａが、湯吐水、水吐水、若しくは、混合水の吐水を取り止める場合には、第２の操作部５６を下方に傾動操作する。
【００８２】
水栓１００を左斜め前方に見る使用者Ｂが、湯吐水、水吐水、若しくは、混合水の吐水を行う場合｛図１２（ａ）参照｝、この使用者Ｂは、先ず、第２の操作部５６に左回転操作を加え、この第２の操作部５６を自己の正面に向ける。この後に、第１の操作部２６を、所望の吐水態様を示す操作位置に操作し、更に、第２の操作部５６を上方に傾動操作する。これにより、駆動軸５５ａと共に可動弁体５５が上昇し、可動側の湯水出口５８ａが、固定側の湯出口２４ａと連通し｛図１２（ｂ）参照｝、吐水手段４０（カラン）によって、湯吐水、水吐水、若しくは、混合水の吐水がなされる。一方、水栓１００の正面に位置する使用者Ａが、湯吐水、水吐水、若しくは、混合水の吐水を取り止める場合には、第２の操作部５６を下方に傾動操作する。
【００８３】
水栓１００を右斜め前方に見る使用者Ｃが、湯吐水、水吐水、若しくは、混合水の吐水を行う場合、この使用者Ｃは、先ず、第２の操作部５６に右回転操作を加え、この第２の操作部５６を自己の正面に向ける。この後に、第１の操作部２６を、所望の吐水態様を示す操作位置に操作し、更に、第２の操作部５６を上方に傾動操作する。これにより、駆動軸５５ａと共に可動弁体５５が上昇し、可動側の湯水出口５８ａが、固定側の湯出口２４ａと連通し｛図１２（ｃ）参照｝、吐水手段４０（カラン）によって、湯吐水、水吐水、若しくは、混合水の吐水がなされる。一方、水栓１００の正面に位置する使用者Ａが、湯吐水、水吐水、若しくは、混合水の吐水を取り止める場合には、第２の操作部５６を下方に傾動操作する。また、何れの吐水を行う場合も、その吐水量は、第２の操作部５６の上方への傾動量によって決定される。
【００８４】
このように、本実施例では、第２の操作部５６が左右の回転方向（回動方向）に振り角（遊び角）を有する。このため、使用者が水栓１００の正面に位置しない場合（斜め前方や、側方等に位置する場合）にも、この使用者は、第２の操作部５６を自己の正面に向けたり、自己により近接する位置に移動することができる。つまり、本水栓１００は、その使用状況に応じて、第２の操作部５６の位置を変更し、吐止水操作や吐水量の選択操作を行うことができる。
【００８５】
以上の実施例２によると、実施例１の効果に加え、以下の効果を得ることができる。つまり、実施例２の水栓１００では、第２の操作部５６において、傾動操作を本操作とし、回動操作を空操作とするため、使用者と水栓１００との相対的な位置に関係無く、同様な使用性を確保できる。つまり、左右の回動方向（上下の傾動方向）に振り角（遊び角）を持つため、様々な使用状況に対し、使用勝手が良い水栓１０となる。また、本実施例の水栓１００では、２つの操作部２６，５６の操作性に、意図的な差異を設けている。つまり、使用頻度の高い「第２の操作部５６」の操作性をより高くし、使用勝手を更に向上させた水栓１００、即ち、「使用頻度の高い、吐止水の選択操作を優先し、使用勝手を更に向上させた水栓１００を得ることができる。
【００８６】
尚、本各発明の範囲は前記各実施例に示す具体的な態様に限定されず、本各発明の範囲内で種々の変形例を例示できる。即ち、各実施例と異なり、第２の操作部３６、５６をハンドル型の操作部とし、第１の操作部２６をレバー型の操作部としてもよいし、両操作部をレバー型の操作部としてもよい。また、レバー型の操作部において、回動操作を本操作とし、傾動操作を空操作としてもよい。
【００８７】
各実施例と異なり、図３（ｃ）に示す変形例のように、第１の操作部２６を、「湯吐水の操作位置」と、「水吐水の操作位置」の「中間の操作位置」から選択される所定の位置（例えば、中央の操作位置）に操作したときに、第１の弁装置２０が閉弁状態となる構成を選択することもできる。尚、この変形例は、請求項２の発明の一具体例を示すものである。
【００８８】
また、各請求項に係る水栓において、第１の操作部２６の操作状態を表示するための表示手段を付加してもよい。例えば、図３（ｄ）及び（ｅ）に示す変形例のように、第１の操作部２６の操作軸｛図３（ｄ）及び（ｅ）において、図示を省略｝に対し、筒形状等に構成される表示手段２８を同軸状に外装する。そして、第１の操作部２６をその回動操作に伴って操作軸（及び表示手段２８）の軸心方向に沿って進退する構造とする。
【００８９】
更に、第１の操作部２６を湯吐水の側に操作したときに、第１の操作部２６は一つの方向に進退し、表示手段２８の所定の部分を露呈させる。このとき、この所定の部分になされた「第１の操作部２６が湯吐水位置に操作されていることを示す表示（例えば、「湯」の文字からなる表示、「赤色の表示」等）」が露呈する。一方、第１の操作部２６を水吐水側に操作したときに、第１の操作部２６は他の方向に進退し、表示手段２８の他の部分を露呈させる。このとき、この他の部分になされた「第１の操作部２６が水吐水位置に操作されていることを示す表示（例えば、「水」の文字からなる表示、「青色の表示」等）」を露呈させる構とする。
【００９０】
この変形例によると、水栓の使用勝手が更に向上する。つまり、本各発明の水栓では、吐水温度を調節する操作と、吐止水の選択操作とが別の操作部によって行われる。このため、吐水態様（現在の吐水温度）を確認せずに、吐止水の選択操作を行ったり、勘違いにより吐水態様を誤認（つまり、湯吐水状態と水吐水状態を取り違える。）しつつ、吐止水の選択操作を行う可能性がある。例えば、第１の操作部が、熱湯を湯吐水する位置に操作されていることを十分に確認しないまま、第２の操作部に開放操作を施し、吐水手段から、使用者が意図しない熱湯を湯吐水させる可能がある。これに対し、この変形例によると、第２の操作部に操作を施す前に、第１の操作部２６の操作位置（吐水態様）を確実に確認できるため、前述の「使用者が意図しない吐水」を防止できる。
【産業上の利用可能性】
【００９１】
本発明は、例えば、水栓の製造、販売、施工、加工等を行う分野で利用可能である。
【図面の簡単な説明】
【００９２】
【図１】実施例１の水栓設備（水栓）を示すブロック図である。
【図２】実施例１の水栓を示すブロック図である。
【図３】（ａ）は実施例１の第２の操作部を示す概略的な斜視図、（ｂ）は実施例１の第１の操作部を示す概略的な正面図、（ｃ）は変形例の第１の操作部を示す概略的な正面図、（ｄ）及び（ｅ）は他の変形例の第１の操作部を示す概略的な平面図である。
【図４】（ａ）は実施例１の第２の弁装置の固定弁体を示す概略的な平面図、（ｂ）は実施例１の第２の弁装置の固定弁体及び可動弁体を示す概略的な縦断面図｛図４（ａ）のＡ−Ａ断面に相当｝、（ｃ）は実施例１の第２の弁装置の固定弁体を示す概略的な平面図、（ｄ）は実施例１の第２の弁装置の固定弁体及び可動弁体を示す概略的な縦断面図である｛図４（ｃ）のＢ−Ｂ断面に相当｝。
【図５】（ａ）は実施例１において湯吐水時の第２の操作部の概略的な側面図、（ｂ）は実施例１において湯吐水時の第１の操作部の概略的な正面図、（ｃ）は実施例１の水栓において湯吐水時のブロック図である。
【図６】（ａ）は実施例１において水吐水時の第２の操作部の概略的な側面図、（ｂ）は実施例１において水吐水時の第１の操作部の概略的な正面図、（ｃ）は実施例１の水栓において水吐水時のブロック図である。
【図７】（ａ）は実施例１において混合水の吐水時の第２の操作部の概略的な側面図、（ｂ）は実施例１において混合水の吐水時の第１の操作部の概略的な正面図、（ｃ）は実施例１の水栓において混合水の吐水時のブロック図である。
【図８】実施例２の水栓設備（水栓）を示すブロック図である。
【図９】（ａ）は実施例２の第２の操作部を示す概略的な斜視図、（ｂ）は実施例２の第１の操作部を示す概略的な正面図である。
【図１０】（ａ）は実施例２において、第２の弁装置の概略的な要部縦断面図（止水状態）であり、（ｂ）は実施例２において、第２の弁装置の概略的な要部縦断面図（吐水状態）である。
【図１１】（ａ）は実施例２において、第２の弁装置の概略的な要部横断面図｛止水状態であって、図１０（ａ）のＩ−Ｉ断面に相当する。｝であり、（ｂ）は実施例２において、第２の弁装置の概略的な要部横断面図｛吐水状態であって、図１０（ａ）のＩＩ−ＩＩ断面に相当する。｝）である。
【図１２】（ａ）は実施例２において、第２の弁装置の概略的な要部横断面図｛止水状態であって、図１０（ａ）のＩ−Ｉ断面に相当する。｝であり、（ｂ）及び（ｃ）は実施例２において、第２の弁装置の概略的な要部横断面図｛吐水状態であって、図１０（ａ）のＩＩ−ＩＩ断面に相当する。｝）である。
【図１３】（ａ）は従来例の水栓を示すブロック図であり、（ｂ）は従来例の操作部を示す概略的な斜視図である。
【符号の説明】
【００９３】
１０；水栓、
１１；水栓本体、
１５；湯側の流入路、
１６；水側の流入路、
１７；流出路、
１８；連絡路、
２０；第１の弁装置、
２６；第１の操作部、
３０、５０；第２の弁装置、
３６、５６；第２の操作部、
４０；吐水手段、
５１；給湯器（調温手段）。
【図１】
2005207478.tif 000003
【図２】
2005207478.tif 000004
【図３】
2005207478.tif 000005
【図４】
2005207478.tif 000006
【図５】
2005207478.tif 000007
【図６】
2005207478.tif 000008
【図７】
2005207478.tif 000009
【図８】
2005207478.tif 000010
【図９】
2005207478.tif 000011
【図１０】
2005207478.tif 000012
【図１１】
2005207478.tif 000013
【図１２】
2005207478.tif 000014
【図１３】
2005207478.tif 000015